(57)【要約】      （修正有）【課題】複数の周波数帯域に対応する一定数の電力増幅器段にベース接地段のバイアスを共有する電力増幅システムを提供する。【解決手段】電力増幅システム５００は、複数のカスコード増幅器セクションを含む。複数のカスコード増幅器セクションの各一つは、各第１トランジスタ５５２ａ〜５５２ｃ及び各第２トランジスタ５５１ａ〜５５１ｃを含む。電力増幅システム５００は、複数のカスコード増幅器セクションそれぞれの第２トランジスタ５５１ａ〜５５１ｃのベースに結合されて当該複数のカスコード増幅器セクションそれぞれの第２トランジスタ５５１ａ〜５５１ｃにバイアスをかけるべく制御可能なベースバイアスコンポーネント５１０を含む。【選択図】図５
2016149747.tif 000002
【特許請求の範囲】
【請求項１】
電力増幅システムであって、
各一つが第１トランジスタ及び第２トランジスタを含む複数のカスコード増幅器セクションと、
各一つが前記複数のカスコード増幅器セクションそれぞれ一つの第１トランジスタのベースに結合されて前記複数のカスコード増幅器セクションそれぞれ一つの第１トランジスタにバイアスをかけるべく制御可能な複数のエミッタ共通バイアスコンポーネントと、
前記複数のカスコード増幅器セクションそれぞれの第２トランジスタのベースに結合されて前記複数のカスコード増幅器セクションそれぞれの第２トランジスタにバイアスをかけるべく制御可能なベース共通バイアスコンポーネントと
を含む電力増幅システム。
【請求項２】
前記複数のエミッタ共通バイアスコンポーネントを帯域選択信号に基づいて制御するべく構成された制御器をさらに含む請求項１の電力増幅システム。
【請求項３】
前記制御器は、前記帯域選択信号に基づいて前記複数のエミッタ共通バイアスコンポーネントの一以上が、前記複数のカスコード増幅器セクションの一つ以上それぞれの第１トランジスタのベースに対応第１バイアス信号を与え得るように構成される請求項２の電力増幅システム。
【請求項４】
前記制御器は、前記帯域選択信号に関係なく前記ベース共通バイアスコンポーネントが、前記複数のカスコード増幅器セクションそれぞれの第２トランジスタのベースに第２バイアス信号を与え得るように構成される請求項３の電力増幅システム。
【請求項５】
前記第１バイアス信号は目標出力電力に基づく請求項４の電力増幅システム。
【請求項６】
前記第２バイアス信号は目標出力電力に基づく請求項４の電力増幅システム。
【請求項７】
前記第２バイアス信号は、前記ベース共通バイアスコンポーネントに結合されて電池からの電圧によって電力供給される電流源から引き出される請求項４の電力増幅システム。
【請求項８】
前記第１バイアス信号は、前記複数のエミッタ共通バイアスコンポーネントの一以上に結合されて電池からの電圧によって電力供給される対応電流源から引き出される請求項４の電力増幅システム。
【請求項９】
複数のＲＣ減結合コンポーネントをさらに含み、
各ＲＣ減結合コンポーネントは、前記ベース共通バイアスコンポーネントと前記複数のカスコード増幅器セクションそれぞれ一つの第２トランジスタのベースとの間に結合された抵抗器を含み、さらには、前記複数のカスコード増幅器セクションそれぞれ一つの第２トランジスタのベースと接地電圧との間に結合されたキャパシタを含む請求項１の電力増幅システム。
【請求項１０】
前記複数の第１トランジスタそれぞれの第２トランジスタのコレクタは、対応インダクタを介して供給電圧に結合される請求項１の電力増幅システム。
【請求項１１】
前記複数の第１トランジスタそれぞれの第２トランジスタのコレクタは、対応出力整合及びフィルタリングコンポーネントを介してアンテナスイッチコンポーネントに結合される請求項１の電力増幅システム。
【請求項１２】
前記複数の出力整合及びフィルタリングコンポーネントのそれぞれは、複数の周波数帯域のそれぞれ一つに対応する請求項１１の電力増幅システム。
【請求項１３】
前記複数の整合及びフィルタリングコンポーネントのそれぞれは、複数の周波数帯域のそれぞれ一つを中心とするフィルタによって出力ＲＦ信号をフィルタリングするべく構成される請求項１１の電力増幅システム。
【請求項１４】
前記アンテナスイッチコンポーネントは、前記複数の出力整合及びフィルタリングコンポーネントの選択された一つにおいて受信された信号を出力するべく構成される請求項１１の電力増幅システム。
【請求項１５】
前記アンテナスイッチコンポーネントは、前記複数の出力整合及びフィルタリングコンポーネントの複数において受信された信号を結合して出力するべく構成される請求項１１の電力増幅システム。
【請求項１６】
前記複数のカスコード増幅器セクションそれぞれ一つの第１トランジスタのベースに結合されて複数の周波数帯域のそれぞれ一つにおいて入力ＲＦ信号を整合するべく構成された複数の入力整合コンポーネントをさらに含む請求項１の電力増幅システム。
【請求項１７】
複数のＲＣ減結合コンポーネントをさらに含み、
前記ＲＣ減結合コンポーネントの各一つは、対応エミッタ共通バイアスコンポーネントと前記複数のカスコード増幅器セクションそれぞれ一つの第１トランジスタのベースとの間に結合された抵抗器を含み、さらには、前記複数のカスコード増幅器セクションそれぞれ一つの第２トランジスタのベースと前記複数の入力整合コンポーネントそれぞれ一つとの間に結合されたキャパシタを含む請求項１６の電力増幅システム。
【請求項１８】
無線周波数（ＲＦ）モジュールであって、
複数のコンポーネントを受容するべく構成されたパッケージング基板と、
前記パッケージング基板に実装された電力増幅システムと
を含み、
前記電力増幅システムは複数のカスコード増幅器セクションを含み、
前記複数のカスコード増幅器セクションの各一つは、
第１トランジスタ及び第２トランジスタと、
複数のエミッタ共通バイアスコンポーネントと、
一のベース共通バイアスコンポーネントと
を含み、
前記複数のエミッタ共通バイアスコンポーネントの各一つは、前記複数のカスコード増幅器セクションそれぞれ一つの第１トランジスタのベースに結合されて前記複数のカスコード増幅器セクションそれぞれ一つの第１トランジスタにバイアスをかけるべく制御可能であり、
前記ベース共通バイアスコンポーネントは、前記複数のカスコード増幅器セクションそれぞれの第２トランジスタのベースに結合されて前記複数のカスコード増幅器セクションそれぞれの第２トランジスタにバイアスをかけるべく制御可能であるＲＦモジュール。
【請求項１９】
前記ＲＦモジュールはフロントエンドモジュール（ＦＥＭ）である請求項１８のＲＦモジュール。
【請求項２０】
無線デバイスであって、
無線周波数（ＲＦ）信号を発生させるべく構成された送受信器と、
前記送受信器と通信するフロントエンドモジュール（ＦＥＭ）と、
前記ＦＥＭと通信するアンテナと
を含み、
前記ＦＥＭは、複数のコンポーネントを受容するべく構成されたパッケージング基板を含み、
前記ＦＥＭはさらに、前記パッケージング基板に実装された電力増幅システムを含み、
前記電力増幅システムは複数のカスコード増幅器セクションを含み、
前記複数のカスコード増幅器セクションの各一つは、
第１トランジスタ及び第２トランジスタと、
複数のエミッタ共通バイアスコンポーネントと、
一のベース共通バイアスコンポーネントと
を含み、
前記複数のエミッタ共通バイアスコンポーネントの各一つは、前記複数のカスコード増幅器セクションそれぞれ一つの第１トランジスタのベースに結合されて前記複数のカスコード増幅器セクションそれぞれ一つの第１トランジスタにバイアスをかけるべく制御可能であり、
前記ベース共通バイアスコンポーネントは、前記複数のカスコード増幅器セクションそれぞれの第２トランジスタのベースに結合されて前記複数のカスコード増幅器セクションそれぞれの第２トランジスタにバイアスをかけるべく制御可能であり、
前記アンテナは、前記ＲＦ信号の増幅されたバージョンを送信するべく構成される無線デバイス。
【発明の詳細な説明】
【技術分野】
【０００１】
本開示は一般に、電力増幅器に関する。
【０００２】
関連出願の相互参照
本願は、２０１５年２月１５日出願の「共通カスコードベースバイアス」との名称の米国仮出願第６２／１１６，４９７号の優先権を主張する。その開示は全体が、ここに明示的に参照として組み入れられる。
【背景技術】
【０００３】
電力増幅システムは、複数の周波数帯域に対応する一定数の電力増幅器段を含み得る。特に各段が多数のトランジスタを含む場合に各電力増幅器段にバイアスをかけることは、重複したバイアス回路、制御回路、及び対応する引き回しを含み得る。
【発明の概要】
【０００４】
いくつかの実装によれば、本開示は、電力増幅システムに関する。電力増幅システムは、複数のカスコード増幅器セクションを含む。複数のカスコード増幅器セクションの各一つは、第１トランジスタ及び第２トランジスタを含む。電力増幅システムは複数のエミッタ共通バイアスコンポーネントを含む。複数のエミッタ共通バイアスコンポーネントの各一つは、複数のカスコード増幅器セクションそれぞれ一つの第１トランジスタのベースに結合されて当該複数のカスコード増幅器セクションそれぞれ一つの第１トランジスタにバイアスをかけるべく制御可能である。電力増幅は、複数のカスコード増幅器セクションそれぞれの第２トランジスタに結合されて当該複数のカスコード増幅器セクションそれぞれの第２トランジスタにバイアスをかけるべく制御可能であるベース共通バイアスコンポーネントを含む。
【０００５】
いくつかの実施形態において、電力増幅システムはさらに、複数のエミッタ共通バイアスコンポーネントを帯域選択信号に基づいて制御するべく構成された制御器を含み得る。いくつかの実施形態において、制御器は、帯域選択信号に基づいて複数のエミッタ共通バイアスコンポーネントの一以上が、複数のカスコード増幅器セクションの一つ以上それぞれの第１トランジスタのベースに対応第１バイアス信号を与え得るように構成することができる。いくつかの実施形態において、制御器は、帯域選択信号に関係なくベース共通バイアスコンポーネントが、複数のカスコード増幅器セクションそれぞれの第２トランジスタのベースに第２バイアス信号を与え得るように構成することができる。
【０００６】
いくつかの実施形態において、第１バイアス信号は、目標出力電力に基づき得る。いくつかの実施形態において、第２バイアス信号は、目標出力電力に基づき得る。
【０００７】
いくつかの実施形態において、第２バイアス信号は、ベース共通バイアスコンポーネントに結合されて電池からの電圧によって電力供給される電流源から引き出され得る。いくつかの実施形態において、第１バイアス信号は、複数のエミッタ共通バイアスコンポーネントの一以上に結合されて電池からの電圧によって電力供給される対応電流源から引き出され得る。
【０００８】
いくつかの実施形態において、電力増幅システムはさらに、複数のＲＣ減結合コンポーネントを含み得る。各ＲＣ減結合コンポーネントは、ベース共通バイアスコンポーネントと、複数のカスコード増幅器セクションそれぞれ一つの第２トランジスタのベースとの間に結合された抵抗器を含み、さらには、複数のカスコード増幅器セクションそれぞれ一つの第２トランジスタのベースと接地電圧との間に結合されたキャパシタを含み得る。
【０００９】
いくつかの実施形態において、複数の第１トランジスタそれぞれの第２トランジスタのコレクタは、対応インダクタを介して供給電圧に結合することができる。
【００１０】
いくつかの実施形態において、複数の第１トランジスタそれぞれの第２トランジスタのコレクタは、対応出力整合及びフィルタリングコンポーネントを介してアンテナスイッチコンポーネントに結合することができる。いくつかの実施形態において、複数の出力整合及びフィルタリングコンポーネントはそれぞれ、複数の周波数帯域のそれぞれ一つに対応し得る。いくつかの実施形態において、複数の整合及びフィルタリングコンポーネントのそれぞれは、複数の周波数帯域のそれぞれ一つを中心とするフィルタによって出力ＲＦ信号をフィルタリングするべく構成することができる。
【００１１】
いくつかの実施形態において、アンテナスイッチコンポーネントは、複数の出力整合及びフィルタリングコンポーネントの選択された一つにおいて受信された信号を出力するべく構成することができる。いくつかの実施形態において、アンテナスイッチコンポーネントは、複数の出力整合及びフィルタリングコンポーネントの複数において受信された信号を結合して出力するべく構成することができる。
【００１２】
いくつかの実施形態において、電力増幅システムはさらに、複数のカスコード増幅器セクションそれぞれ一つの第１トランジスタのベースに結合されて複数の周波数帯域のそれぞれ一つにおいて入力ＲＦ信号を整合させるべく構成された複数の入力整合コンポーネントを含み得る。
【００１３】
いくつかの実施形態において、電力増幅システムはさらに、複数のＲＣ減結合コンポーネントを含み得る。ＲＣ減結合コンポーネントの各一つは、対応エミッタ共通バイアスコンポーネントと複数のカスコード増幅器セクションそれぞれ一つの第１トランジスタのベースとの間に結合された抵抗器を含み、さらには、複数のカスコード増幅器セクションそれぞれ一つの第２トランジスタのベースと複数の入力整合コンポーネントそれぞれ一つとの間に結合されたキャパシタを含み得る。
【００１４】
いくつかの実装において、本開示は、複数のコンポーネントを受容するべく構成されたパッケージング基板を含む無線周波数（ＲＦ）モジュールに関する。ＲＦモジュールは、パッケージング基板に実装された電力増幅システムを含む。電力増幅システムは複数のカスコード増幅器セクションを含む。複数のカスコード増幅器セクションの各一つは第１トランジスタ及び第２トランジスタを含む。電力増幅システムは複数のエミッタ共通バイアスコンポーネントを含む。複数のエミッタ共通バイアスコンポーネントの各一つは、複数のカスコード増幅器セクションそれぞれ一つの第１トランジスタのベースに結合されて当該複数のカスコード増幅器セクションそれぞれ一つの第１トランジスタにバイアスをかけるべく制御可能である。電力増幅システムは、複数のカスコード増幅器セクションそれぞれの第２トランジスタのベースに結合されて当該複数のカスコード増幅器セクションそれぞれの第２トランジスタにバイアスをかけるべく制御可能なベース共通バイアスコンポーネントを含む。
【００１５】
いくつかの実施形態において、ＲＦモジュールはフロントエンドモジュール（ＦＥＭ）とすることができる。
【００１６】
いくつかの実装において、本開示は、無線周波数（ＲＦ）信号を発生させるべく構成された送受信器を含む無線デバイスに関する。無線デバイスは、送受信器と通信するフロントエンドモジュール（ＦＥＭ）を含む。ＦＥＭは、複数のコンポーネントを受容するべく構成されたパッケージング基板を含む。ＦＥＭはさらに、パッケージング基板に実装された電力増幅システムを含む。電力増幅システムは複数のカスコード増幅器セクションを含む。複数のカスコード増幅器セクションの各一つは、第１トランジスタ及び第２トランジスタを含む。電力増幅システムは複数のエミッタ共通バイアスコンポーネントを含む。複数のエミッタ共通バイアスコンポーネントの各一つは、複数のカスコード増幅器セクションそれぞれ一つの第１トランジスタのベースに結合されて当該複数のカスコード増幅器セクションそれぞれ一つの第１トランジスタにバイアスをかけるべく制御可能である。電力増幅システムは、複数のカスコード増幅器セクションそれぞれの第２トランジスタのベースに結合されて当該複数のカスコード増幅器セクションそれぞれの第２トランジスタにバイアスをかけるべく制御可能なベース共通バイアスコンポーネントを含む。無線デバイスは、ＦＥＭと通信するアンテナを含む。アンテナは、ＲＦ信号の増幅されたバージョンを送信するべく構成される。
【００１７】
本開示を要約する目的で本発明の一定の側面、利点及び新規な特徴がここに記載された。理解すべきことだが、かかる利点のすべてが必ずしも、本発明の任意の特定実施形態によって達成できるわけではない。すなわち、本発明は、ここに教示される一の利点又は一群の利点を、ここに教示又は示唆される他の利点を必ずしも達成する必要なしに、達成又は最適化する態様で具体化又は実施をすることができる。
【図面の簡単な説明】
【００１８】
【図１】代表的な無線システム又はアーキテクチャを示す。
【図２】いくつかの実装において、増幅システムが一以上の電力増幅器を有する無線周波数（ＲＦ）増幅器アセンブリを含み得ることを示す。
【図３】図３Ａ〜３Ｅは、電力増幅器の非制限的な例を示す。
【図４】いくつかの実装において、増幅システムが高電圧（ＨＶ）電力増幅システムとして実装され得ることを示す。
【図５】いくつかの実施形態において、電力増幅システムが複数のカスコード増幅器セクションを含み得ることを示す。
【図６】いくつかの実施形態において、電力増幅システムが複数の共有化ベース共通バイアスコンポーネントを有し得ることを示す。
【図７】ＲＦ信号を処理する方法のフローチャート表現を示す。
【図８】ここに記載される一以上の特徴を有するモジュールを描く。
【図９】ここに記載される一以上の特徴を有する無線デバイスを描く。
【発明を実施するための形態】
【００１９】
ここに与えられる見出しは、たとえあったとしても、便宜のみのためであって、必ずしも請求項に係る発明の範囲又は意味に影響するわけではない。
【００２０】
図１を参照すると、本開示の一以上の特徴は一般に、増幅システム５２を有する無線システム又はアーキテクチャ５０に関する。いくつかの実施形態において、増幅システム５２は、一以上のデバイスとして実装することができる。かかるデバイスは、無線システム／アーキテクチャ５０において利用可能である。いくつかの実施形態において、無線システム／アーキテクチャ５０は例えば、携帯型無線デバイスに実装することができる。かかる無線デバイスの例がここに記載される。
【００２１】
図２は、図１の増幅システム５２が典型的に、一以上電力増幅器（ＰＡ）を有する無線周波数（ＲＦ）増幅器アセンブリ５４を含むことを示す。図２の例において、３つのＰＡ６０ａ〜６０ｃが、ＲＦ増幅器アセンブリ５４を形成するように描かれる。理解されることだが、他の数のＰＡ（複数可）も実装することができる。またも理解されることだが、本開示の一以上の特徴は、他のタイプのＲＦ増幅器を有するＲＦ増幅器アセンブリに実装することもできる。
【００２２】
いくつかの実施形態において、ＲＦ増幅器アセンブリ５４は一以上の半導体ダイに実装することができる。かかるダイは、電力増幅器モジュール（ＰＡＭ）又はフロントエンドモジュール（ＦＥＭ）のようなパッケージモジュールに含めることができる。かかるパッケージモジュールは典型的に、例えば携帯型無線デバイスに関連付けられた回路基板に搭載される。
【００２３】
増幅システム５２におけるＰＡ（例えば６０ａ〜６０ｃ）は典型的に、バイアスシステム５６によってバイアスがかけられる。さらに、ＰＡのための供給電圧は典型的に、供給システム５８によって与えることができる。いくつかの実施形態において、バイアスシステム５６及び供給システム５８のいずれか又は双方は、ＲＦ増幅器アセンブリ５４を有する上記パッケージモジュールに含めることができる。
【００２４】
いくつかの実施形態において、増幅システム５２は整合ネットワーク６２を含み得る。かかる整合ネットワークは、ＲＦ増幅器アセンブリ５４のための入力整合及び／又は出力整合機能を与えるべく構成することができる。
【００２５】
説明目的のため理解されることだが、図２の各ＰＡ（６０ａ〜６０ｃ）は、一定数の態様で実装することができる。図３Ａ〜３Ｅは、かかるＰＡがどのように構成され得るかについての非制限的な例を示す。図３Ａは、増幅トランジスタ６４を有する代表的なＰＡを示す。ここで、入力ＲＦ信号（ＲＦ＿ｉｎ）がトランジスタ６４のベースへと与えられ、増幅されたＲＦ信号（ＲＦ＿ｏｕｔ）がトランジスタ６４のコレクタを介して出力される。
【００２６】
図３Ｂは、複数段に配列された複数の増幅トランジスタ（例えば６４ａ、６４ｂ）を有する代表的なＰＡを示す。入力ＲＦ信号（ＲＦ＿ｉｎ）は、第１トランジスタ６４ａのベースへと与えられ、第１トランジスタ６４ａからの増幅されたＲＦ信号は、そのコレクタを介して出力される。第１トランジスタ６４ａからの増幅されたＲＦ信号は、第２トランジスタ６４ｂのベースへと与えられ、第２トランジスタ６４ｂからの増幅されたＲＦ信号は、そのコレクタを介して出力され、ひいてはＰＡの出力ＲＦ信号（ＲＦ＿ｏｕｔ）がもたらされる。
【００２７】
いくつかの実施形態において、図３Ｂの上記代表的なＰＡ構成は、図３Ｃに示されるように２以上の段として描くことができる。第１段６４ａは例えばドライバ段として構成し、第２段６４ｂは例えば出力段として構成することができる。
【００２８】
図３Ｄは、いくつかの実施形態において、ＰＡがドハティＰＡとして構成できることを示す。かかるドハティＰＡは、増幅された出力ＲＦ信号（ＲＦ＿ｏｕｔ）をもたらすように、入力ＲＦ信号（ＲＦ＿ｉｎ）のキャリア増幅及びピーキング増幅を与えるべく構成された増幅トランジスタ６４ａ、６４ｂを含み得る。入力ＲＦ信号は、分割器によりキャリア部分及びピーキング部分に分割することができる。増幅されたキャリア信号及びピーキング信号は、結合器により出力ＲＦ信号を与えるべく結合することができる。
【００２９】
図３Ｅは、いくつかの実施形態において、ＰＡがカスコード構成で実装できることを示す。入力ＲＦ信号（ＲＦ＿ｉｎ）は、エミッタ共通デバイスとして動作する第１増幅トランジスタ６４ａのベースに与えることができる。第１増幅トランジスタ６４ａの出力は、そのコレクタを介して与え、かつ、ベース共通デバイスとして動作する第２増幅トランジスタ６４ｂのエミッタへと与えることができる。第２増幅トランジスタ６４ｂの出力は、ＰＡの増幅された出力ＲＦ信号（ＲＦ＿ｏｕｔ）をもたらすべく、そのコレクタを介して与えることができる。
【００３０】
図３Ａ〜３Ｅの様々な例において、増幅トランジスタは、ヘテロ接合バイポーラトランジスタ（ＨＢＴ）のようなバイポーラ接合トランジスタ（ＢＪＴ）として記載される。理解されることだが、本開示の一以上の特徴はまた、電界効果トランジスタ（ＦＥＴ）のような他のタイプのトランジスタにおいて又は当該トランジスタを使用して実装することもできる。
【００３１】
図４は、いくつかの実施形態において、図２の増幅システム５２が、高電圧（ＨＶ）電力増幅システム７０として実装できることを示す。かかるシステムは、複数のＰＡのいくつか又はすべて（例えば６０ａ〜６０ｃ）がＨＶ増幅動作を含むように構成されたＨＶ電力増幅器アセンブリ５４を含み得る。ここに記載されるように、かかるＰＡにはバイアスシステム５６によってバイアスをかけることができる。いくつかの実施形態において、上記ＨＶ増幅動作は、ＨＶ供給システム５８によって容易とすることができる。いくつかの実施形態において、ＨＶ電力増幅器アセンブリ５４とバイアスシステム５６及びＨＶ供給システム５８のいずれか又は双方との間のインタフェイス機能を与えるべく、インタフェイスシステム７２を実装することができる。
【００３２】
並列増幅器回路、例えば、複数の周波数帯域に対応する複数の電力増幅サブシステムは、当該回路の各信号経路に対して独立したバイアス制御を用い得る。かかるシステムは、単一モジュール内の多重増幅器をサポートするバイアス回路の重複及び多重インタフェイス線を含み得る。例えば、システムは、複数の電力増幅サブシステムセクションのそれぞれに対し、別個のバイアス電流バッファ及び制御インタフェイスを含み得る。
【００３３】
ここに記載されるのは、一の共通バイアス線を共有する多重利得段と、各利得段のベース共通カスコード段にバイアスを与えるバイアス電流バッファ回路とを含む電力増幅システムである。非アクティブ増幅器（又は電力増幅サブシステムセクション）が、当該非アクティブ増幅器の対応エミッタ共通カスコード段のための基準電流を排除することによって、ベース共通カスコード段にバイアスがかけられている間であってもディセーブル（又は非イネーブル）にされる。以下にさらに詳述されるように、電力増幅システムはさらに、各増幅器において共有された増幅器セクションを隔離するＲＣ減結合を含み得る。
【００３４】
図５は、いくつかの実施形態において、電力増幅システム５００が複数のカスコード増幅器セクションを含み得ることを示す。わかることだが、図５が３つのカスコード増幅器セクションを例示するにもかかわらず、電力増幅システム５００は、２つ、３つ、４つ又はそれ以上のカスコード増幅器セクションのような任意数のカスコード増幅器セクションを含み得る。各カスコード増幅器セクションは、第１トランジスタ５５２ａ〜５５２ｃを含むエミッタ共通段と、第２トランジスタ５５１ａ〜５５１ｃを含むベース共通段とを含む。
【００３５】
各第１トランジスタ５５２ａ〜５５２ｃのベースは、ＲＣ減結合コンポーネントを介して、対応エミッタ共通バイアスコンポーネント５２０ａ〜５２０ｃ及び対応入力整合コンポーネント５３０ａ〜５３０ｃに結合される。いくつかの実装において、各入力整合コンポーネント５３０ａ〜５３０ｃは、複数の周波数帯域のそれぞれ一つにおいて入力ＲＦ信号（又は入力信号周波数コンポーネント）を整合させるべく構成される。特に、各ＲＣ減結合コンポーネントは、第１トランジスタ５５２ａ〜５５２ｃのベースとエミッタ共通バイアスコンポーネント５２０ａ〜５２０ｃとの間に結合された抵抗器５４４ａ〜５４４ｃを含み、さらには、第１トランジスタ５５２ａ〜５５２ｃのベースと入力整合コンポーネント５３０ａ〜５３０ｃとの間に結合されたキャパシタ５４５ａ〜５４５ｃを含む。各第１トランジスタ５５２ａ〜５５２ｃのドレインは接地電位に結合される。
【００３６】
各第２トランジスタ５５１ａ〜５５１ｃのベースは、ＲＣ減結合コンポーネントを介して、共有化ベース共通バイアスコンポーネント５１０及び接地電位に結合される。特に、各ＲＣ減結合コンポーネントは、第２トランジスタ５５１ａ〜５５１ｃのベースとベース共通バイアスコンポーネント５１０との間に結合された抵抗器５４２ａ〜５４２ｃを含み、さらには、第２トランジスタ５５１ａ〜５５１ｃのベースと接地電位との間に結合されたキャパシタ５４３ａ〜５４３ｃを含む。
【００３７】
各第２トランジスタ５５１ａ〜５５１ｃのコレクタは、対応するインダクタ５４１ａ〜５４１ｃを介して供給電圧（Ｖｃｃ）に結合される。いくつかの実装において、供給電圧は、電池電圧（Ｖｂａｔｔ）から引き出され、当該電池電圧よりも大きく又は小さくなり得る。供給電圧は、電力管理システム（図９及び１０に関して以下に詳述される）によって供給することができる。各第２トランジスタ５５１ａ〜５５１ｃのコレクタはさらに、対応する出力整合及びフィルタリングコンポーネント５６０ａ〜５６０ｃを介してアンテナスイッチコンポーネント５７０に結合される。いくつかの実装において、出力整合及びフィルタリングコンポーネント５６０ａ〜５６０ｃのそれぞれは、複数の周波数帯域のそれぞれ一つに対応する。いくつかの実装において、出力整合及びフィルタリングコンポーネント５６０ａ〜５６０ｃのそれぞれは、複数の周波数帯域のそれぞれ一つを中心とするフィルタによって出力ＲＦ信号をフィルタリングするべく構成される。
【００３８】
いくつかの実装において、単一帯域送信のため、アンテナスイッチコンポーネント５７０は、複数の出力整合及びフィルタリングコンポーネント５６０ａ〜５６０ｃの選択された一つにおいて受信された、例えば帯域選択信号によって示される信号を、（例えばアンテナ５８０へと）出力するべく構成される。いくつかの実装において、多重帯域送信（例えばキャリアアグリゲーション）のため、アンテナスイッチコンポーネント５７０は、出力整合及びフィルタリングコンポーネント５６０ａ〜５６０ｃの複数において受信された、例えば帯域選択信号によって示される信号を、結合して（例えばアンテナ５８０へと）出力するべく構成される。
【００３９】
エミッタ共通バイアスコンポーネント５２０ａ〜５２０ｃのそれぞれは、複数のカスコード増幅器セクションそれぞれ一つの第１トランジスタ５５２ａ〜５５２ｃにバイアスをかけるべく制御可能である。ベース共通バイアスコンポーネント５１０は、複数のカスコード増幅器セクションそれぞれの第２トランジスタ５５１ａ〜５５１ｃにバイアスをかけるべく制御可能である。それを目的として、電力増幅システム５００は、エミッタ共通バイアスコンポーネント５２０ａ〜５２０ｃ及びベース共通バイアスコンポーネント５１０を制御するべく構成された制御器５９０を含む。
【００４０】
制御器５９０は、電力増幅システム５００による増幅対象の入力信号の、一以上の周波数帯域を示す帯域選択信号（ＢＳＳ）を受信する。それに応答して制御器５９０は、制御信号（ＣＢ１、ＣＥ１、ＣＥ２、ＣＥ３）を発生させて、一つ以上それぞれのカスコード増幅器セクションをイネーブル（かつ他のカスコード増幅器セクションを非イネーブル）にする。
【００４１】
例えば、入力信号が、トランジスタ５５１ｂ及び５５２ｂを含む第２カスコード増幅器セクションに対応する第２周波数帯域のみを含む（ひいてはＲＦｉｎ２に対応する一つの周波数コンポーネントのみを含む）ことを帯域選択信号が示す場合、制御器５９０は、第２トランジスタ５５１ａ〜５５１ｃのそれぞれにバイアスをかけるためのベース共通バイアスコンポーネント制御信号ＣＢ１を発生させ、かつ、第１カスコード増幅器セクションの第１トランジスタ５５２ａにバイアスをかけないための、第２カスコード増幅器セクションの第１トランジスタ５５２ｂにバイアスをかけるための、及び第３カスコード増幅器セクションの第１トランジスタ５５２ｃにバイアスをかけないための、対応エミッタ共通バイアスコンポーネント制御信号ＣＥ１〜ＣＥ３を発生させる。
【００４２】
第２カスコード増幅器セクションの第１トランジスタ５５２ｂにバイアスをかけるためのエミッタ共通バイアスコンポーネント制御信号ＣＥ２の受信に応答して第２エミッタ共通バイアスコンポーネント５２０ｂは、第１バイアス信号を発生させて当該第１バイアス信号を、第２カスコード増幅器セクションの第１トランジスタ５５２ｂのベースに与える。第１バイアス信号は、バイアス電圧又はバイアス電流とすることができる。
【００４３】
第２トランジスタ５５１ａ〜５５１ｃのそれぞれにバイアスをかけるためのベース共通バイアスコンポーネント制御信号ＣＢ１の受信に応答してベース共通バイアスコンポーネント５１０は、第２バイアス信号を発生させて当該第２バイアス信号を、第２トランジスタ５５１ａ〜５５１ｃのそれぞれのベースに与える。バイアス信号は、バイアス電圧又はバイアス電流とすることができる。
【００４４】
第１バイアス信号及び第２バイアス信号は、電流源５１２、５２２ａ〜５２２ｃそれぞれから引き出すことができる。電流源５１２、５２２ａ〜５２２ｃは、電池からの電圧（Ｖｂａｔｔ）によって電力供給され、かつ、ベース共通バイアスコンポーネント５１０及びエミッタ共通バイアスコンポーネント５２０ａ〜５２０ｃそれぞれに結合される。
【００４５】
いくつかの実装において、第１バイアス信号（複数可）及び第２バイアス信号は目標出力電力に基づく。目標出力電力（Ｐｏｕｔ）を示す信号は、制御器５９０によって受信することができ、制御信号は当該目標出力電力に基づいてバイアス信号を発生させるべく、バイアスコンポーネントを制御することができる。
【００４６】
すなわち、電力増幅システム５００は複数のカスコード増幅器セクションを含み、当該複数のカスコード増幅器セクションの各一つが第１トランジスタ５５２ａ〜５５２ｃ（又はエミッタ共通トランジスタ）及び第２トランジスタ５５１ａ〜５５１ｃ（又はベース共通トランジスタ）を含む。電力増幅システム５００はさらに複数のエミッタ共通バイアスコンポーネント５２０ａ〜５２０ｃを含み、当該エミッタ共通バイアスコンポーネント５２０ａ〜５２０ｃの各一つが、複数のカスコード増幅器セクションそれぞれ一つの第１トランジスタ５５２ａ〜５５２ｃのベースに結合され、かつ、複数のカスコード増幅器セクションそれぞれ一つの第１トランジスタ５５２ａ〜５５２ｃにバイアスをかけるべく（例えば制御器５９０によって）制御可能である。電力増幅システムさらに、複数のカスコード増幅器セクションそれぞれの第２トランジスタ５５１ａ〜５５１ｃのベースに結合されて当該複数のカスコード増幅器セクションそれぞれの第２トランジスタ５５１ａ〜５５１ｃにバイアスをかけるべく制御可能なベース共通バイアスコンポーネント５１０を含む。
【００４７】
図５に示されるように、いくつかの実装において、電力増幅器システム５００は、単一のベース共通バイアスコンポーネント５１０のみを含む。すなわち、バッファ回路の面積及び信号引き回しを、有利なことに低減することができる。さらに、ベース共通バイアス電圧がアクティブとなり得るとき、非アクティブカスコード増幅器セクションを考慮に入れても、隔離を改善することができる。
【００４８】
上述のように、電力増幅システム５００はさらに、複数のエミッタ共通バイアス５２０ａ〜５２０ｃコンポーネントを、帯域選択信号に基づいて制御するべく構成された制御器５９０を含む。例えば、制御器５９０は、帯域選択信号に基づいて、複数のエミッタ共通バイアスコンポーネント５２０ａ〜５２０ｃの一以上をイネーブルにして複数のカスコード増幅器セクションの一つ以上それぞれの第１トランジスタ５５２ａ〜５５２ｃのベースに対応第１バイアス信号を与えるように構成することができる。制御器はさらに、帯域選択信号に関係なく、ベース共通バイアスコンポーネント５１０をイネーブルにして複数のカスコード増幅器セクションそれぞれの第２トランジスタ５５１ａ〜５１１ｃのベースに第２バイアス信号を与えるように構成することができる。
【００４９】
図６は、いくつかの実施形態において、電力増幅システム６００が、複数の共有化ベース共通バイアスコンポーネントを有し得ることを示す。わかることだが、図６が２つのカスコード増幅器セクションを例示するにもかかわらず、電力増幅システム６００は、２つ、３つ、４つ又はそれ以上のカスコード増幅器セクションのような任意数のカスコード増幅器セクションを含み得る。さらに、わかることだが、図６が各カスコード増幅器セクションを３つのトランジスタを含むように例示するにもかかわらず、各カスコード増幅器セクションが、２つ、３つ、４つ又はそれ以上のトランジスタのような任意数のトランジスタを含み得る。各カスコード増幅器セクションは、第１トランジスタ６５２ａ〜６５２ｂを含むエミッタ共通段と、第２トランジスタ６５１ａ〜６５１ｂ及び第３トランジスタ６５３ａ〜６５３ｂを含むベース共通段とを含む。
【００５０】
第１トランジスタ６５２ａ〜６５２ｂそれぞれのベースは、ＲＣ減結合コンポーネントを介して対応エミッタ共通バイアスコンポーネント６２０ａ〜６２０ｂ及び対応入力整合コンポーネント６３０ａ〜６３０ｂに結合される。特に、各ＲＣ減結合コンポーネントは、第１トランジスタ６５２ａ〜６５２ｂのベースとエミッタ共通バイアスコンポーネント６２０ｂ〜６２０ｂとの間に結合された抵抗器６４４ａ〜６４４ｂを含み、さらには、第１トランジスタ６５２ａ〜６５２ｂのベースと入力整合コンポーネント６３０ａ〜６３０ｂとの間に結合されたキャパシタ６４５ａ〜６４５ｂも含む。各第１トランジスタ６５２ａ〜６５２ｂのドレインは接地電位に結合される。
【００５１】
第２トランジスタ６５１ａ〜６５１ｂそれぞれのベースは、ＲＣ減結合コンポーネントを介して、第１共有化ベース共通バイアスコンポーネント６１０及び接地電位に結合される。特に、各ＲＣ減結合コンポーネントは、第２トランジスタ６５１ａ〜６５１ｂのベースと第１ベース共通バイアスコンポーネント６１０との間に結合された抵抗器６４２ａ〜６４２ｂを含み、さらには、第２トランジスタ６５１ａ〜６５１ｂのベースと接地電位との間に結合されたキャパシタ６４３ａ〜６４３ｂを含む。
【００５２】
第２トランジスタ６５１ａ〜６５１ｂそれぞれのコレクタが、対応インダクタ６４１ａ〜６４１ｂを介して供給電圧（Ｖｃｃ）に結合される。第２トランジスタ６５１ａ〜６５１ｂそれぞれのコレクタはさらに、対応する出力整合及びフィルタリングコンポーネント６６０ａ〜６６０ｂを介してアンテナスイッチコンポーネント６７０に結合される。
【００５３】
各第３トランジスタ６５３ａ〜６５３ｂのベースは、ＲＣ減結合コンポーネントを介して、第２共有化ベース共通バイアスコンポーネント６１６及び接地電位に結合される。特に、各ＲＣ減結合コンポーネントは、第３トランジスタ６５３ａ〜６５３ｂのベースと第２ベース共通バイアスコンポーネント６１６との間に結合された抵抗器６４６ａ〜６４６ｂを含み、さらには、第３トランジスタ６５３ａ〜６５３ｂのベースと接地電位との間に結合されたキャパシタ６４７ａ〜６４７ｂを含む。
【００５４】
エミッタ共通バイアスコンポーネント６２０ａ〜６２０ｂは、複数のカスコード増幅器セクションそれぞれ一つの第１トランジスタ６５２ａ〜６５２ｂにバイアスをかけるべく制御可能である。第１ベース共通バイアスコンポーネント６１０は、複数のカスコード増幅器セクションそれぞれの第２トランジスタ６５１ａ〜６５１ｂにバイアスをかけるべく制御可能である。第２ベース共通バイアスコンポーネント６１６は、複数のカスコード増幅器セクションそれぞれの第３トランジスタ６５３ａ〜６５３ｂにバイアスをかけるべく制御可能である。それを目的として、電力増幅システム６００は、エミッタ共通バイアスコンポーネント６２０ａ〜６２０ｂ及びベース共通バイアスコンポーネント６１０、６１６を制御するべく構成された制御器６９０を含む。
【００５５】
制御器６９０は、電力増幅システム６００による増幅対象の入力信号の、一以上の周波数帯域を示す帯域選択信号（ＢＳＳ）を受信する。それに応答して制御器６９０は、制御信号（ＣＢ１、ＣＢ２、ＣＥ１、ＣＥ２）を発生させて、一つ以上それぞれのカスコード増幅器セクションをイネーブル（かつ他のカスコード増幅器セクションを非イネーブル）にする。
【００５６】
例えば、入力信号が、トランジスタ６５１ｂ、６５２ｂ及び６５３ｂを含む第２カスコード増幅器セクションに対応する第２周波数帯域のみを含む（ひいてはＲＦｉｎ２に対応する一つの周波数コンポーネントのみを含む）ことを帯域選択信号が示す場合、制御器６９０は、第２トランジスタ６５１ａ〜６５１ｂのそれぞれにバイアスをかけるための第１ベース共通バイアスコンポーネント制御信号ＣＢ１と、第３トランジスタ６５３ａ〜６５３ｂのそれぞれにバイアスをかけるための第２ベース共通バイアスコンポーネント制御信号ＣＢ２と、第１カスコード増幅器セクションの第１トランジスタ６５２ａにバイアスをかけないが第２カスコード増幅器セクションの第１トランジスタ６５２ｂにはバイアスをかけるための対応エミッタ共通バイアスコンポーネント制御信号ＣＥ１〜ＣＥ２とを発生させる。
【００５７】
第２カスコード増幅器セクションの第１トランジスタ６５２ｂにバイアスをかけるためのエミッタ共通バイアスコンポーネント制御信号ＣＥ２の受信に応答して第２エミッタ共通バイアスコンポーネント６２０ｂは、第１バイアス信号を発生させて当該第１バイアス信号を、第２カスコード増幅器セクションの第１トランジスタ６５２ｂのベースに与える。第１バイアス信号は、バイアス電圧又はバイアス電流とすることができる。
【００５８】
第２トランジスタ６５１ａ〜６５１ｂのそれぞれにバイアスをかけるための第１ベース共通バイアスコンポーネント制御信号ＣＢ１の受信に応答して第１ベース共通バイアスコンポーネント６１０は、第２バイアス信号を発生させて当該第２バイアス信号を、第２トランジスタ６５１ａ〜６５１ｂのそれぞれのベースに与える。バイアス信号は、バイアス電圧又はバイアス電流とすることができる。
【００５９】
第３トランジスタ６５３ａ〜６５３ｂのそれぞれにバイアスをかけるための第２ベース共通バイアスコンポーネント制御信号ＣＢ２の受信に応答して第２ベース共通バイアスコンポーネント６１６は、第３バイアス信号を発生させて当該第３バイアス信号を、第３トランジスタ６５３ａ〜６５３ｂのそれぞれのベースに与える。バイアス信号は、バイアス電圧又はバイアス電流とすることができる。第３バイアス信号は、第２バイアス信号とは異ならせることができる。特に、第３バイアス信号は、第２バイアス信号よりも小さくすることができる。
【００６０】
第１バイアス信号、第２バイアス信号及び第３バイアス信号は、電流源６１２、６１８、６２２ａ〜６２２ｂそれぞれから引き出すことができる。電流源６１２、６１８、６２２ａ〜６２２ｂは、電池からの電圧（Ｖｂａｔｔ）によって電力供給され、かつ、第１ベース共通バイアスコンポーネント６１０、第２ベース共通バイアスコンポーネント６１６及びエミッタ共通バイアスコンポーネント６２０ａ〜６２０ｂそれぞれに結合される。
【００６１】
図７は、ＲＦ信号を処理する方法のフローチャート表現を示す。いくつかの実装において（一例として以下に記載されるように）、方法７００は、少なくとも部分的には図５の制御器５９０のような制御器によって行われる。いくつかの実装において、方法７００は、少なくとも部分的には処理ロジックによって行うことができる。処理ロジックは、ハードウェア、ソフトウェア、又はこれらの組み合わせを含む。いくつかの実装において、方法７００は、少なくとも部分的にはプロセッサによって行うことができる。プロセッサは、非一時的コンピュータ可読媒体（例えばメモリ）に格納されたコードを実行する。
【００６２】
方法７００は、ブロック７１０において制御器が、増幅及び送信対象の無線周波数（ＲＦ）入力信号の一以上の周波数帯域を示す帯域選択信号を受信することから始まる。
【００６３】
ブロック７２０において、制御器は、複数のカスコード増幅器セクションそれぞれのベース共通段にバイアスをかける。制御器は、複数のカスコード増幅器セクションそれぞれのベース共通段に結合されたベース共通バイアスコンポーネントに制御信号を送信することによって、複数のカスコード増幅器セクションそれぞれのベース共通段にバイアスをかけることができる。いくつかの実装において、制御器は、目標出力電力を示す信号を受信して当該目標出力電力に基づき、複数のカスコード増幅器セクションそれぞれのベース共通段にバイアスをかける。
【００６４】
ブロック７３０において、制御器は、カスコード増幅器セクションの部分集合のエミッタ共通段にバイアスをかける。カスコード増幅器セクションの当該部分集合は、帯域選択信号が示す一以上の周波数帯域の一つに対応する。いくつかの実装において、当該部分集合は、カスコード増幅器セクションの一つのみを含み得る。いくつかの実装において、当該部分集合は、カスコード増幅器セクションのすべてを含み得る。制御器は、カスコード増幅器セクションの部分集合のエミッタ共通段に結合された対応エミッタ共通バイアスコンポーネントに対応制御信号を送信することによって、カスコード増幅器セクションの部分集合のエミッタ共通段にバイアスをかけることができる。上述のように、いくつかの実装において、制御器は、目標出力電力を示す信号を受信して当該目標出力電力に基づき、複数のカスコード増幅器セクションの各部分集合のエミッタ共通段にバイアスをかける。
【００６５】
制御器によりバイアスがかけられた複数のカスコード増幅器セクションそれぞれのベース共通段と複数のカスコード増幅器セクションの部分集合のエミッタ共通段とを使用してカスコード増幅器セクションは、入力ＲＦ信号（又はその周波数成分）を増幅して出力ＲＦ信号（又はアンテナを介して結合及び送信が可能なその周波数成分）を生成する。
【００６６】
図８は、いくつかの実施形態において、電力増幅システム（例えば図５に示されるもの）のいくつか又はすべてが一モジュールに実装できることを示す。かかるモジュールは、例えばフロントエンドモジュール（ＦＥＭ）とすることができる。図８の例において、モジュール３００はパッケージング基板３０２を含み得る。かかるパッケージング基板には一定数のコンポーネントが搭載され得る。例えば、ＦＥ−ＰＭＩＣコンポーネント３０４、電力増幅器アセンブリ３０６、整合コンポーネント３０８及びデュプレクサアセンブリ３１０を、パッケージング基板３０２上に及び／又はパッケージング基板３０２内に搭載及び／又は実装することができる。電力増幅器アセンブリ３０６は、図５に示されるものようなカスコードシステム３０７を含み得る。一定数の表面搭載技術（ＳＭＴ）デバイス３１４及びアンテナスイッチモジュール（ＡＳＭ）３１２のような他のコンポーネントもまた、パッケージング基板３０２に搭載することができる。様々なコンポーネントのすべてがパッケージング基板３０２上にレイアウトされるように描かれるにもかかわらず、何らかのコンポーネント（複数可）が、他のコンポーネント（複数可）の上に実装できることが理解される。
【００６７】
いくつかの実装において、ここに記載される一以上の特徴を有するデバイス及び／又は回路は、無線デバイスのようなＲＦデバイスに含めることができる。かかるデバイス及び／又は回路は、ここに記載されるモジュラー形態で、又はその何らかの組み合わせで無線デバイスに直接実装することができる。いくつかの実施形態において、かかる無線デバイスは、例えば、セルラー電話、スマートフォン、電話機能あり又はなしのハンドヘルド無線デバイス、無線タブレット等を含み得る。
【００６８】
図９は、ここに記載される一以上の有利な特徴を有する代表的な無線デバイス４００を描く。ここに記載される一以上の特徴を有するモジュールの文脈において、かかるモジュールは一般に、破線枠３００によって描くことができ、例えばフロントエンドモジュール（ＦＥＭ）として実装することができる。
【００６９】
図９を参照すると、電力増幅器（ＰＡ）４２０は、増幅及び送信対象のＲＦ信号を発生させるべくかつ受信した信号を処理するべく周知の態様で構成かつ動作し得る送受信器４１０から対応ＲＦ信号を受信することができる。送受信器４１０は、ユーザに適したデータ及び／又は音声信号と送受信器４１０に適したＲＦ信号との間の変換を与えるべく構成されたベース帯域サブシステム４０８と相互作用をするように示される。送受信器４１０はまた、無線デバイス４００の動作のために電力を管理するべく構成された電力管理コンポーネント４０６と通信することもできる。かかる電力管理はまた、ベース帯域サブシステム４０８及びモジュール３００の動作を制御することもできる。
【００７０】
ベース帯域サブシステム４０８は、ユーザに与えられ及びユーザから受けた音声及び／又はデータの様々な入出力を容易にするべく、ユーザインタフェイス４０２に接続されるように示される。ベース帯域サブシステム４０８はまた、無線デバイスの動作を容易にし及び／又はユーザのための情報記憶を与えるデータ及び／又は命令を記憶するべく構成されたメモリ４０４に接続することもできる。
【００７１】
代表的な無線デバイス４００において、ＰＡ４２０の出力は、（対応整合回路４２２を介して）対応デュプレクサ４２４に整合され及び引き回されるように示される。電力増幅器４２０は、図５に示されるもののようにカスコードシステム３０７の一部とすることができる。かかる増幅されかつフィルタリングされた信号は、送信を目的としてアンテナスイッチ４１４を介してアンテナ４１６へと引き回すことができる。いくつかの実施形態において、デュプレクサ４２４により、共通アンテナ（例えば４１６）を使用して送受信動作を同時に行うことができる。図７において、受信された信号は、例えば低雑音増幅器（ＬＮＡ）を含み得る「Ｒｘ」経路（図示せず）へと引き回されるように示される。
【００７２】
一定数の他の無線デバイス構成も、ここに記載される一以上の特徴を利用することができる。例えば、無線デバイスは、多重帯域デバイスである必要はない。他例において、無線デバイスは、ダイバーシティアンテナのような付加アンテナ、並びに、Ｗｉ−Ｆｉ（登録商標）、Ｂｌｕｅｔｏｏｔｈ（登録商標）及びＧＰＳのような付加的な接続機能を含み得る。
【００７３】
ここに記載されるように、本開示の一以上の特徴は、図９の無線デバイスを含むもののようなシステムに実装された場合に一定数の利点を与えることができる。例えば、特徴は、バッファ回路面積、制御回路面積及び／又は複雑性、並びに信号引き回しを低減するべく実装することができる。付加的な利点は、カスコードバイアス電圧がアクティブのままカスコード増幅器セクション間の隔離を改善できるように存在し得る。
【００７４】
主にカスコード増幅器セクションの文脈で上述されたにもかかわらず、本開示の一以上の特徴は、他の電力増幅システムにおいても利点を与え得る。例えば、いくつかの実装において、電力増幅システムは、（例えばドライバ段の）第１トランジスタ及び（例えば出力段の）第２トランジスタを含む複数の多段電力増幅器を含み得る。電力増幅システムは、第１トランジスタのための別個のバイアスコンポーネントと、第２トランジスタのための共有バイアスコンポーネントとを含み得る。
【００７５】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。加えて、用語「ここ」、「上」、「下」及び類似の趣旨の用語は、本願において使用される場合、本願全体を言及し、本願の任意の特定部分を言及するわけではない。文脈が許容する場合、単数又は複数を使用する上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。
【００７６】
本発明の実施形態の上記詳細な説明は、排他的であることすなわち本発明を上記開示の正確な形態に制限することを意図しない。本発明の及びその例の特定の実施形態が例示を目的として上述されたが、当業者が認識するように、本発明の範囲において様々な均等の修正も可能である。例えば、プロセス又はブロックが所与の順序で提示されるが、代替実施形態は、異なる順序でステップを有するルーチンを行うこと又はブロックを有するシステムを用いることができ、いくつかのプロセス又はブロックは削除、移動、追加、細分化、結合、及び／又は修正することができる。これらのプロセス又はブロックはそれぞれが、様々な異なる態様で実装することができる。また、プロセス又はブロックが直列的に行われるように示されることがあるが、これらのプロセス又はブロックは、その代わりに、並列して行い又は異なる時に行うこともできる。
【００７７】
ここに与えられる本発明の教示は、必ずしも上述のシステムに限られることがなく、他のシステムにも適用することができる。上述の様々な実施形態の要素及び行為は、さらなる実施形態を与えるべく組み合わせることができる。
【００７８】
本発明のいくつかの実施形態が記載されたが、これらの実施形態は、例のみとして提示されており、本開示の範囲を制限することを意図しない。実際、ここに記載される新規な方法及びシステムは、様々な他の形態で具体化することができる。さらに、ここに記載される方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
2016149747.tif 000003
【図２】
2016149747.tif 000004
【図３】
2016149747.tif 000005
【図４】
2016149747.tif 000006
【図５】
2016149747.tif 000007
【図６】
2016149747.tif 000008
【図７】
2016149747.tif 000009
【図８】
2016149747.tif 000010
【図９】
2016149747.tif 000011
【外国語明細書】
2016149747000001.pdf